(57)【要約】【課題】  共振周波数が可変であると共に、利得の高い小型のアンテナ装置を提供すること。【解決手段】  基板２と、基板２上の表面に形成されたグラウンド導体３と、基板２上に配置され、素体に線状の導体パターンが形成されたローディング部４と、導体パターンの一端とグラウンド導体３との間に接続されるインダクタ部５と、インダクタ部５の一端に給電する給電点７とを備え、導体パターンの一端とインダクタ部５との間に周波数調整部６が設けられ、周波数調整部６が、互いに並列接続可能な調整用チップインダクタ２１Ａ〜２１Ｃと、調整用チップインダクタ２１Ａ〜２１Ｃのうちの少なくとも１つを選択して導体パターンの一端とインダクタ部５とを接続するスイッチ部２２と、を備える。【選択図】  図１
2006191270.tif 000002
【特許請求の範囲】
【請求項１】
基板と、
該基板上の表面に形成されたグラウンド導体と、
前記基板上に配置され、誘電体または磁性体あるいはその両方を兼ね備えた複合材料からなる素体に線状の導体パターンが形成されたローディング部と、
前記導体パターンの一端と前記グラウンド導体との間に接続されるインダクタ部と、
前記インダクタ部の一端に給電する給電点とを備えるアンテナ装置において、
前記導体パターンの一端と前記インダクタ部との間に周波数調整部が設けられ、
該周波数調整部が、互いに並列接続可能な複数の調整用インダクタと、該複数の調整用インダクタのうちの少なくとも１つを選択して前記導体パターンの一端と前記インダクタ部とを接続するスイッチ部と、を備えることを特徴とするアンテナ装置。
【請求項２】
前記スイッチ部が、前記導体パターンの一端と前記インダクタ部との間で前記複数の調整用インダクタにそれぞれ接続されるバイアス電圧入力部と、該バイアス電圧入力部に印加される電圧に応じてインピーダンスが変化する切替素子とを備え、
前記バイアス電圧入力部に印加する電圧によって前記調整用インダクタと前記インダクタ部または前記導体パターンの一端との接続状態を可変とすることを特徴とする請求項１に記載のアンテナ装置。
【請求項３】
前記スイッチ部が、前記切替素子を、前記調整用インダクタとグラウンドとの間に配置したシャント型のスイッチ回路を備えることを特徴とする請求項２に記載のアンテナ装置。
【請求項４】
前記スイッチ部が、前記切替素子を、前記調整用インダクタと前記インダクタ部または前記導体パターンの一端との間に、前記調整用インダクタに対して直列接続となるように配置したシリーズ型のスイッチ回路を備えることを特徴とする請求項２に記載のアンテナ装置。
【請求項５】
前記導体パターンが、前記素体の長手方向に巻回された螺旋形状を有することを特徴とする請求項１から４のいずれか１項に記載のアンテナ装置。
【請求項６】
前記導体パターンが、前記素体の表面に形成されたミアンダ形状を有することを特徴とする請求項１から４のいずれか１項に記載のアンテナ装置。
【発明の詳細な説明】
【技術分野】
【０００１】
本発明は、例えばデジタルテレビ放送帯域の送受信に用いられるアンテナ装置に関する。
【背景技術】
【０００２】
近年、地上波のテレビ放送がデジタル化されてきている。この地上デジタル放送は、テレビ放送をデジタル化することによってハイビジョン放送が可能になると共に、データ放送も加わることもできる。そして、この地上デジタル放送では、ＵＨＦ帯域である４７０ＭＨｚ〜７７０ＭＨｚ帯域の周波数を使用して放送を行う。
一方、携帯端末機では、４００ＭＨｚ帯以上の帯域では１／４波長型のアンテナが用いられている。１／４波長型のアンテナは、アンテナエレメントの電気長が１／４波長であり、物理長として１／４波長の長さを持つホイップアンテナが携帯端末機用として用いられている。また、内蔵アンテナは、物理長を１／４よりも小型化することで携帯端末機に内蔵可能としたもので、小型化のために帯域幅やアンテナ利得がホイップアンテナよりも劣化している。なお、ホイップアンテナの比帯域幅は、一般的に十数％程度となっている。
【０００３】
ところで、携帯端末機で地上デジタル放送を受信する場合において、ホイップアンテナを地上デジタル放送の放送帯域で要求されている４７０ＭＨｚ〜７７０ＭＨｚで調整しても、ホイップアンテナの帯域幅が１００ＭＨｚ以下であるため、１つのアンテナで３００ＭＨｚの帯域幅をカバーすることは不可能である。そのため、共振周波数が可変である必要が生じる。
そこで、共振周波数を可変とする方法として、バリキャップを用いてコンデンサの容量値を電圧によって制御し、アンテナの共振周波数を可変とするアンテナが提案されている。また、板状逆Ｆアンテナの端部に板状逆Ｆアンテナの端部を短絡、開放可能な共振周波数可変手段を設けることによってアンテナの共振周波数を可変とするアンテナ装置が提案されている（例えば、特許文献１参照）。
【特許文献１】特開平８−３０７３０３号公報
【発明の開示】
【発明が解決しようとする課題】
【０００４】
しかしながら、上記従来のアンテナ装置には、以下の問題が残されている。すなわち、従来のアンテナ装置では、前者のアンテナ装置において、バリキャップを用いて共振周波数を可変とする場合には、インダクタとキャパシタとを使用するため、適用できるアンテナの種類がループアンテナのみとなる。また、後者のアンテナ装置において、板状逆Ｆアンテナの端部を短絡するとループアンテナ形状となる。ここで、ループアンテナは、ループ面積にアンテナの利得が比例するため、小型化したときに利得が低くなるという問題がある。
【０００５】
本発明は、前述の課題に鑑みてなされたもので、共振周波数が可変であると共に、利得の高い小型のアンテナ装置を提供することを目的とする。
【課題を解決するための手段】
【０００６】
本発明は、前記課題を解決するために以下の構成を採用した。すなわち、本発明のアンテナ装置は、基板と、該基板上の表面に形成されたグラウンド導体と、前記基板上に配置され、誘電体または磁性体あるいはその両方を兼ね備えた複合材料からなる素体に線状の導体パターンが形成されたローディング部と、前記導体パターンの一端と前記グラウンド導体との間に接続されるインダクタ部と、前記インダクタ部の一端に給電する給電点とを備えるアンテナ装置において、前記導体パターンの一端と前記インダクタ部との間に周波数調整部が設けられ、該周波数調整部が、互いに並列接続可能な複数の調整用インダクタと、該複数の調整用インダクタのうちの少なくとも１つを選択して前記導体パターンの一端と前記インダクタ部とを接続するスイッチ部と、を備えることを特徴とする。
【０００７】
この発明によれば、アンテナエレメント単体の電気長がアンテナ動作波長の１／４よりも短くても、ローディング部とインダクタ部とを組み合わせることで、全体の電気長としてアンテナ動作波長の１／４を満足する。これにより、例えば地上デジタル放送の放送帯域である４７０ＭＨｚ〜７７０ＭＨｚの周波数であっても、アンテナ装置の大幅な短縮化を図ることができる。
また、互いに並列接続可能な複数の調整用インダクタのうち、スイッチ部で適宜のものを選択して導体パターンの一端とインダクタ部とを接続することで、周波数調整部のインダクタンスが調整される。ここで、例えば互いに並列接続可能な調整用インダクタを３つ設けると、この複数の調整用インダクタのうちの少なくとも１つが導体パターンの一端とインダクタ部とを接続する場合において、周波数調整部における調整用インダクタの接続パターンの組み合わせは、７通りとなる。
このように、スイッチ部によって周波数調整部のインダクタンスを適宜調整することで、周波数調整部における電気長が変化し、アンテナ装置の共振周波数を設定することができる。そして、各調整用インダクタとして所定のインダクタンスを有するものを用いることで、例えば地上デジタル放送の放送帯域である４７０ＭＨｚ〜７７０ＭＨｚのように広い帯域幅であっても、チャンネルに合わせて共振周波数を調整することでカバーできる。
【０００８】
また、本発明にかかるアンテナ装置は、前記スイッチ部が、前記スイッチ部が、前記導体パターンの一端と前記インダクタ部との間で前記複数の調整用インダクタにそれぞれ接続されるバイアス電圧入力部と、該バイアス電圧入力部に印加される電圧に応じてインピーダンスが変化する切替素子とを備え、前記バイアス電圧入力部に印加する電圧によって前記調整用インダクタと前記インダクタ部または前記導体パターンの一端との接続状態を可変とすることが好ましい。
この発明によれば、各調整用インダクタに接続されるバイアス電圧入力部に印加する電圧値によって、各調整用インダクタに接続される切替素子のインピーダンスが変化し、
調整用インダクタとインダクタ部または導体パターンとの接続状態が変化する。このようにして、周波数調整部のインダクタンスを調整し、アンテナ装置の共振周波数の設定を行う。
【０００９】
また、本発明にかかるアンテナ装置は、前記スイッチ部が、前記切替素子を、前記調整用インダクタとグラウンドとの間に配置したシャント型のスイッチ回路を備えることが好ましい。
この発明によれば、バイアス電圧入力部に切替素子に対して順方向となるバイアス電圧を印加すると、切替素子のインピーダンスが低くなり、調整用インダクタとアースとがショートされた状態となる。これにより、高周波信号に対してインダクタ部と導体パターンとの接続状態がオフ状態となる。一方、切替素子に対して逆方向となるバイアス電圧を印加すると、切替素子のインピーダンスが高いので、調整用インダクタとアースとがオープン状態となる。これにより、高周波信号に対してインダクタ部と導体パターンの一端との接続状態がオン状態となる。このように、バイアス電圧入力部に印加する電圧によって、調整用インダクタンスの接続状態を変更する。
【００１０】
また、本発明にかかるアンテナ装置は、前記スイッチ部が、前記切替素子を、前記調整用インダクタと前記インダクタ部または前記導体パターンの一端との間に、前記調整用インダクタに対して直列接続となるように配置したシリーズ型のスイッチ回路を備えることが好ましい。
この発明によれば、バイアス電圧入力部に切替素子に対して順方向となるバイアス電圧を印加すると、切替素子のインピーダンスが低くなり、インダクタ部と導体パターンの一端とがショートされた状態となる。これにより、高周波信号に対してインダクタ部と導体パターンの一端との接続状態がオン状態となる。一方、切替素子に対して逆方向となるバイアス電圧を印加すると、切替素子のインピーダンスが高いので、インダクタ部と導体パターンの一端とがオープン状態となる。これにより、高周波信号に対してインダクタ部と導体パターンの一端との接続状態がオフ状態となる。このように、上述と同様に、バイアス電圧入力部に印加する電圧によって、調整用インダクタンスの接続状態を変更する。
【００１１】
また、本発明にかかるアンテナ装置は、前記導体パターンが、前記素体の長手方向に巻回された螺旋形状を有することが好ましい。
この発明によれば、導体パターンを螺旋形状とすることで、導体パターンが長くなり、アンテナ装置の利得を増やすことができる。
【００１２】
また、本発明にかかるアンテナ装置は、前記導体パターンが、前記素体の表面に形成されたミアンダ形状を有することが好ましい。
この発明によれば、導体パターンをミアンダ形状とすることで、導体パターンが長くなり、アンテナ装置の利得を向上させることができる。また、導体パターンが、素体の表面に形成されることで導体パターンの形成が容易となる。
【発明の効果】
【００１３】
本発明のアンテナ装置によれば、ローディング部とインダクタ部とを組み合わせることで、電気長としてアンテナ動作波長の１／４を満足し、アンテナ装置の大幅な短縮化を図ることができる。また、スイッチ部が、互いに並列接続可能な複数の調整用インダクタのうちの少なくとも１つを選択して導体パターンの一端とインダクタ部とを接続することで、容易に周波数調整部のインダクタンスを調整できる。これにより、周波数調整部における電気長が変化するので、アンテナ装置の共振周波数を設定することができる。したがって、適宜のインダクタンスを有する調整用インダクタを用いることによって、例えば地上デジタル放送の放送帯域のように広い帯域幅であっても、スイッチ部で周波数調整部のインダクタンスを調整することによってカバーできる。
【発明を実施するための最良の形態】
【００１４】
以下、本発明にかかるアンテナ装置の一実施形態を、図１から図３を参照しながら説明する。
本実施形態によるアンテナ装置１は、例えば地上デジタル放送を受信可能な携帯端末機に用いられるアンテナ装置である。
【００１５】
このアンテナ装置１は、例えば樹脂などの絶縁性材料からなる基板２と、基板２の表面に形成された矩形状のグラウンド導体３と、基板２の表面上にグラウンド導体３と平行になるように配置されたローディング部４と、一方がローディング部４の基端に接続可能で他方がグラウンド導体３に接続されるインダクタ部５と、ローディング部４の一端とインダクタ部５との間に配置された周波数調整部６と、インダクタ部５と周波数調整部６との接続点Ｐ１に給電する給電部７と、接続点Ｐ１と給電部７とを接続する給電導体８とを備えている。
【００１６】
ローディング部４は、ローディング素子１１と、基板２の表面に形成されてローディング素子１１を基板２上に載置するためのランド１２Ａ、１２Ｂとを備えている。そして、
ランド１２Ａと周波数調整部６とが、連結導体１３によって接続されている。
ローディング素子１１は、図２に示すように、例えばアルミナなどの誘電体からなる直方体の素体１４と、この素体１４の表面に素体１４の長手方向に対して螺旋状に巻回された線状の導体パターン１５とによって構成されている。
この導体パターン１５の両端は、ランド１２Ａ、１２Ｂと接続するように、素体１４の裏面に形成された接続導体１６Ａ、１６Ｂにそれぞれ接続されている。
【００１７】
インダクタ部５は、周波数調整部６とグラウンド導体３とを接続するグラウンド接続パターン１７と、このグラウンド接続パターン１７に形成されてグラウンド接続パターン１７を分断する分断部（図示略）を接続するチップインダクタ１８と、を備えている。
【００１８】
周波数調整部６は、互いに並列接続可能な３つの調整用チップインダクタ２１Ａ〜２１Ｃと、調整用チップインダクタ２１Ａ〜２１Ｃのうちの少なくとも１つを選択して導体パターン１５の一端と接続点Ｐ１とを接続するスイッチ部２２と、を備えている。
【００１９】
スイッチ部２２は、図３に示すように、調整用チップインダクタ（調整用インダクタ）２１Ａ〜２１Ｃと接続点Ｐ１との間にそれぞれ設けられたスイッチ回路２３Ａ〜２３Ｃによって構成されている。
スイッチ回路２３Ａは、いわゆるシャント型のスイッチ回路であって、図３に示す接続点Ｐ２に対してバイアス電圧を印加するバイアス電圧入力端子（バイアス電圧入力部）３１Ａと、接続点Ｐ２とアースＧとを接続するＰＩＮダイオード（切替素子）３３Ａと、バイアス電圧入力端子３１Ａからのノイズを除去するバイパスコンデンサ３４Ａと、接続点Ｐ２及び接続点Ｐ１の間と接続点Ｐ２及び調整用チップインダクタ２１Ａの間にそれぞれ設けられてバイアス電圧入力端子３１Ａからの直流電流を除去するＤＣブロックコンデンサ３５Ａと、バイアス電圧入力端子３１Ａ及び接続点Ｐ２の間に設けられて調整用チップインダクタ２１Ａに流れる高周波信号がバイアス電圧入力端子３１Ａに逆流することを防止するＲＦブロックコイル３６Ａと、によって構成されている。
【００２０】
そして、スイッチ回路２３Ａは、バイアス電圧入力端子３１Ａに閾値より高いバイアス電圧を印加すると、ＰＩＮダイオード３３Ａのインピーダンスが低下して導通状態となり、接続点Ｐ２とアースＧとの間がショート状態となる。これにより、接続点Ｐ１と調整用チップインダクタ２１Ａとの間に高周波信号が流れなくなり、非接続状態となる。また、バイアス電圧入力端子３１Ａに印加されたバイアス電圧が閾値以下の場合には、ＰＩＮダイオード３３Ａのインピーダンスが高く、非導通状態であるので、接続点Ｐ２とアースＧとの間がオープン状態となる。これにより、接続点Ｐ１と調整用チップインダクタ２１Ａとの間に高周波信号が流れ、接続状態となる。
【００２１】
また、スイッチ回路２３Ｂ、２３Ｃは、スイッチ回路２３Ａと同様に、それぞれバイアス電圧入力端子３１Ｂ、３１Ｃと、ＰＩＮダイオード（切替素子）３３Ｂ、３３Ｃと、バイパスコンデンサ３４Ｂ、３４Ｃと、ＤＣブロックコンデンサ３５Ｂ、３５Ｃと、ＲＦブロックコイル３６Ｂ、３６Ｃとによって構成されている。
このスイッチ回路２３Ｂ、２３Ｃは、スイッチ回路４２Ａと同様に、バイアス圧電圧入力端子３１Ｂ、３１Ｃに閾値より高いバイアス電圧を印加すると非接続状態となり、印加されたバイアス電圧が閾値以下の場合に接続状態となるように構成されている。
【００２２】
そして、バイアス電圧入力端子３１Ａ〜３１Ｃに印加するバイアス電圧を適宜調整することによって、３つ並列接続可能な調整用チップインダクタ２１Ａ〜２１Ｃの接続状態が変化し、周波数調整部６におけるインダクタンスを設定することができる。ここで、調整用チップインダクタ２１Ａ〜２１ＣのインダクタンスをそれぞれＬａ〜Ｌｃとすると、周波数調整部６におけるインダクタをＬｅｑは、下記の式のようになる。ここで、下記の式におけるＳＷｎは、各調整用チップインダクタ２１Ａ〜２１Ｃが接続点Ｐ１と接続状態であるＯＮとなったときに１、非接続状態であるＯＦＦとなったときに０となる。
【００２３】
【数１】
2006191270.tif 000003
【００２４】
この周波数調整部６は、調整用チップインダクタ２１Ａ〜２１Ｃのうちの少なくとも１つを接続点Ｐ１と接続することとすると、調整用チップインダクタ２１Ａ〜２１Ｃの間で７通りの組み合わせが存在する。そして、周波数調整部６のインダクタンスＬｅｑを調整することによって、アンテナ装置１の電気長を調整して共振周波数を設定することができるように構成されている。
【００２５】
また、給電導体８は、周波数調整部６と高周波回路ＲＦに接続される給電部７とを接続する直線状のパターンである。
【００２６】
なお、ローディング部４は、その物理長がアンテナ装置１のアンテナ動作波長の１／４よりも短く構成されているので、ローディング部４の自己共振周波数がアンテナ装置１のアンテナ動作周波数である共振周波数よりも高周波側となる。したがって、アンテナ装置１の共振周波数を基準として考えた場合において、このローディング部４は自己共振しているとはいえないので、アンテナ動作周波数で自己共振するヘリカルアンテナとは性質の異なるものとなっている。
【００２７】
ここで、調整用チップインダクタ２１Ａ〜２１Ｃのインダクタンスを、それぞれ１００ｎＨ、６８ｎＨ、３０ｎＨとしたときの周波数調整部６のインダクタンスＬｅｑの値は、表１に示すようになる。ここで、スイッチ部２２における調整用チップインダクタ２１Ａ〜２１Ｃの接続状態を、それぞれ表１に示すようにパターン１〜７とする。
【００２８】
【表１】
2006191270.tif 000004
【００２９】
また、各接続状態におけるアンテナ装置１の共振周波数は、図４に示すようになる。図４に示すように、アンテナ装置１の共振周波数は、調整用チップインダクタ２１Ａ〜２１Ｃの接続状態を変化させることで、地上デジタル放送の放送帯域である４７０ＭＨｚ〜７７０ＭＨｚまで設定可能であることがわかる。
そして、図５にアンテナ装置１のＶＳＷＲ（Voltage Standing Wave Ratio：電圧定在波比）特性を示す。ここで、図５に示す曲線Ｃ１〜Ｃ７は、表１のパターン１〜７の各接続状態でのＶＳＷＲ特性を示している。図５に示すように、インピーダンス特性を劣化させることなく、４７０ＭＨｚ〜７７０ＭＨｚまでの広い周波数範囲をカバーすることが可能である。したがって、地上デジタル放送において、アンテナ装置１の共振周波数が受信したいチャンネルに対応するように、バイアス電圧入力端子３１Ａ〜３１Ｃに電圧を印加し、調整用チップインダクタ２１Ａ〜２１Ｃの接続状態を設定することで、所望のチャンネルの放送を受信する。
【００３０】
このように構成されたアンテナ装置１は、アンテナエレメント単体の電気長がアンテナ動作波長の１／４より短くても、ローディング部４とチップインダクタ５とを組み合わせることによって、全体の電気長としてアンテナ動作波長の１／４を満足する。これにより、例えば地上デジタル放送の放送帯域である４７０ＭＨｚ〜７７０ＭＨｚの周波数であっても、アンテナ装置の大幅な短縮化を図ることができる。
また、所定のインダクタンスを有する調整用チップインダクタ２１Ａ〜２１Ｃを用いており、周波数調整部６におけるインダクタンスが７通りの値を示す。これにより、４７０ＭＨｚ〜７７０ＭＨｚのように広い周波数帯域であっても、バイアス電圧入力端子３１Ａ〜３１Ｃへの印加電圧を制御して調整用チップインダクタ２１Ａ〜２１Ｃの接続状態を適宜変化させることで、インピーダンス特性を劣化させることなくカバーできる。
【００３１】
なお、本発明は上記実施形態に限定されるものではなく、本発明の趣旨を逸脱しない範囲において種々の変更を加えることができる。
例えば、図６に示すように、周波数調整部４１が、調整用チップインダクタ２１Ａ〜２１Ｃと接続点Ｐ１との間にそれぞれ設けられた、いわゆるシリーズ型のスイッチ回路４２Ａ〜４２Ｃによって構成されたスイッチ部４３を備えてもよい。
このスイッチ回路４２Ａは、図６に示す接続点Ｐ２にバイアス電圧を印加するバイアス電圧入力端子３１と、接続点Ｐ２及び接続点Ｐ３の間に配置されたＰＩＮダイオード３３Ａと、バイパスコンデンサ３４Ａと、ＤＣブロックコンデンサ３５Ａと、バイアス電圧入力端子３１及び接続点Ｐ２の間と接続点Ｐ３及びアースＧの間にそれぞれ配置されたＲＦブロックコイル３６Ａとを備えている。
【００３２】
そして、スイッチ回路４２Ａは、バイアス電圧入力端子３１Ａに閾値よりも高いバイアス電圧を印加すると、ＰＩＮダイオード３３Ａのインピーダンスが低下し、接続点Ｐ２と接続点Ｐ３との間がショート状態となるので、接続点Ｐ１と調整用チップインダクタ２１Ａとの間に高周波信号が流れ、接続状態となるように構成されている。また、バイアス電圧入力端子３１Ａに印加されたバイアス電圧が閾値以下の場合には、ＰＩＮダイオード３３Ａのインピーダンスが高い状態であるので、接続点Ｐ２と接続点Ｐ３との間に高周波信号が流れなくなり、非接続状態となるように構成されている。
【００３３】
また、スイッチ回路４２Ｂ、４２Ｃは、スイッチ回路４２Ａと同様に、それぞれバイアス電圧入力端子３１Ｂ、３１Ｃと、ＰＩＮダイオード３３Ｂ、３３Ｃと、バイパスコンデンサ３４Ｂ、３４Ｃと、ＤＣブロックコンデンサ３５Ｂ、３５Ｃと、ＲＦブロックコイル３６Ｂ、３６Ｃと、によって構成されている。
このスイッチ回路４２Ｂ、４３Ｃは、スイッチ回路４２Ａと同様に、バイアス圧電圧入力端子３１Ｂ、３１Ｃに閾値よりも高いバイアス電圧を印加すると接続状態となり、印加されたバイアス電圧が閾値以下の場合に非接続状態となるように構成されている。
そして、バイアス電圧入力端子３１Ａ〜３１Ｃに印加するバイアス電圧を適宜調整することによって、３つ並列接続可能な調整用チップインダクタ２１Ａ〜２１Ｃの接続状態が変化し、周波数調整部６におけるインダクタンスを設定することができる。
なお、スイッチ部は、これらシャント型のスイッチ回路とシリーズ型のスイッチ回路とを適宜組み合わせて用いてもよい。また、他の構成のスイッチ回路を用いてもよい。
【００３４】
また、本実施形態において、アンテナ装置を、地上デジタル放送を受信可能な携帯端末に用いたが、携帯電話機など、他の無線通信機器に用いてもよい。
また、切替素子として、ＰＩＮダイオードを用いているが、ＭＥＳＦＥＴ（Metal Semiconductor Field Effect Transistor）などを用いてもよい。
また、素体として誘電体材料であるアルミナを用いたが、磁性体あるいは誘電体及び磁性体を兼ね備えた複合材料を用いてもよい。
また、導体パターンが素体表面に巻回された螺旋形状を有していたが、素体表面に形成されたミアンダ形状を有していてもよく、他の形状であってもよい。
また、給電導体に分断部を形成し、この分断部をチップコンデンサによって接続してもよい。ここで、チップコンデンサのキャパシタンスを適宜設定することで、給電部におけるインピーダンスを容易に整合させることができる。なお、インピーダンス調整部としてチップコンデンサに限らず、インダクタを用いることも可能である。
また、３つの調整用インダクタを備えているが、２つでも、４つ以上であってもよい。
【図面の簡単な説明】
【００３５】
【図１】本発明の一実施形態におけるアンテナ装置を模式的に示す平面図である。
【図２】図１におけるローディング素子の斜視図である。
【図３】図１におけるスイッチ部を説明するためのアンテナ装置を示す該略図である。
【図４】図１における周波数調整部のインダクタンスに対するアンテナ装置の共振周波数を示すグラフである。
【図５】図１における周波数調整部の各接続状態でのアンテナ装置のＶＳＷＲ特性を示すグラフである。
【図６】本発明の一実施形態以外の、本発明を適応可能なスイッチ部を説明するためのアンテナ装置を示す該略図である。
【符号の説明】
【００３６】
１  アンテナ装置
２  基板
３  グラウンド導体
４  ローディング部
５  インダクタ部
６  周波数調整部
７  給電部
８  給電導体
１４  素体
１５  導体パターン
２１Ａ〜２１Ｃ  調整用チップインダクタ（調整用インダクタ）
２２、４３  スイッチ部
２３Ａ〜２３Ｃ、４２Ａ〜４２Ｃ  スイッチ回路
３１Ａ〜３１Ｃ  バイアス電圧入力端子（バイアス電圧入力部）
３３Ａ〜３３Ｃ  ＰＩＮダイオード（切替素子）
Ｐ１  接続点
【図１】
2006191270.tif 000005
【図２】
2006191270.tif 000006
【図３】
2006191270.tif 000007
【図４】
2006191270.tif 000008
【図５】
2006191270.tif 000009
【図６】
2006191270.tif 000010